(57)【特許請求の範囲】
【請求項１】
建物の空調システムであって、
内部に、空気調和機の室内機が配された空調室と、
前記空調室に少なくとも前記建物内の空気を供給する第１流路と、
一端が前記空調室に連通し、かつ、他端が前記建物内の居室に連通する第２流路と、
前記空調室の空気を、前記第２流路を介して前記居室に供給するための第１ファンと、
制御装置とを含み、
前記室内機は、前記空調室内の空気を空調するために吸引し、かつ、吐出するための室内機ファンを有し、
前記制御装置は、予め定められた設定温度に対して、前記室内機の吸引空気の温度がネガティブな場合、前記空調室内に空気が滞留するように前記第１ファン及び／又は前記室内機ファンの風量を制御する、
建物の空調システム。
【請求項２】
前記設定温度は、前記居室に予め定められた目標温度である、請求項１記載の建物の空調システム。
【請求項３】
前記設定温度は、前記居室に予め定められた目標温度を、前記第２流路内での熱損失を考慮して修正した調整目標温度である、請求項１又は２記載の建物の空調システム。
【請求項４】
前記制御装置は、前記設定温度に対して、前記吸引空気の温度がネガティブな場合、前記第１ファン及び前記室内機ファンの風量をともに小さくする、請求項１ないし３のいずれかに記載の建物の空調システム。
【請求項５】
建物を空調するための方法であって、
空気調和機を含む空調システムを用いて、前記建物内の居室を空調する空調工程を含み、
前記空調システムは、内部に、前記空気調和機の室内機が配された空調室と、
前記空調室に少なくとも前記建物内の空気を供給する第１流路と、
一端が前記空調室に連通し、かつ、他端が前記居室に連通する第２流路と、
前記空調室の空気を、前記第２流路を介して前記居室に供給するための第１ファンとを含み、
前記室内機は、前記空調室内の空気を空調するために吸引し、かつ、吐出するための室内機ファンを有し、
前記空調工程は、予め定められた設定温度に対して、前記室内機の吸引空気の温度がネガティブな場合、前記空調室内に空気が滞留するように前記第１ファン及び／又は前記室内機ファンの風量を制御する工程を含む、
建物の空調方法。
【発明の詳細な説明】
【技術分野】
【０００１】
本発明は、建物の空調システム及び建物の空調方法に関する。
【背景技術】
【０００２】
下記特許文献１は、建物内の複数の空間を空調するための空調システムを提案している。この空調システムは、少なくとも１台の空気調和機で空調された空気を、複数の空間に供給するセントラル空調タイプのものである。空気調和機の室内機は、チャンバー内に配置されており、室内機からチャンバー内に吐出された空気が、ファンを介して空間に供給されている。
【先行技術文献】
【特許文献】
【０００３】
【特許文献１】特開２０１６−１９１４８３号公報
【発明の概要】
【発明が解決しようとする課題】
【０００４】
例えば、空気調和機の暖房運転時、室内機が吸い込んだ空気の温度が、設定された温度よりも低い場合、居室等に有効な熱量を供給することができない。また、空気調和機の冷房運転時においても、室内機が吸い込んだ空気の温度が、設定された温度よりも高い場合も同様である。
【０００５】
しかしながら、従来のセントラル空調システムは、このような課題について考慮されたものではなかった。
【０００６】
本発明は、以上のような実状に鑑み案出されたもので、居室を効率よく空調することが可能な建物の空調システム及び建物の空調方法を提供することを主たる目的としている。
【課題を解決するための手段】
【０００７】
本発明は、建物の空調システムであって、内部に、空気調和機の室内機が配された空調室と、前記空調室に少なくとも前記建物内の空気を供給する第１流路と、一端が前記空調室に連通し、かつ、他端が前記建物内の居室に連通する第２流路と、前記空調室の空気を、前記第２流路を介して前記居室に供給するための第１ファンと、制御装置とを含み、前記室内機は、前記空調室内の空気を空調するために吸引し、かつ、吐出するための室内機ファンを有し、前記制御装置は、予め定められた設定温度に対して、前記室内機の吸引空気の温度がネガティブな場合、前記空調室内に空気が滞留するように前記第１ファン及び／又は前記室内機ファンの風量を制御することを特徴とする。
【０００８】
本発明に係る前記空調システムにおいて、前記設定温度は、前記居室に予め定められた目標温度であってもよい。
【０００９】
本発明に係る前記空調システムにおいて、前記設定温度は、前記居室に予め定められた目標温度を、前記第２流路内での熱損失を考慮して修正した調整目標温度であってもよい。
【００１０】
本発明に係る前記空調システムにおいて、前記制御装置は、前記設定温度に対して、前記吸引空気の温度がネガティブな場合、前記第１ファン及び前記室内機ファンの風量をともに小さくしてもよい。
【００１１】
本発明は、建物を空調するための方法であって、空気調和機を含む空調システムを用いて、前記建物内の居室を空調する空調工程を含み、前記空調システムは、内部に、前記空気調和機の室内機が配された空調室と、前記空調室に少なくとも前記建物内の空気を供給する第１流路と、一端が前記空調室に連通し、かつ、他端が前記居室に連通する第２流路と、前記空調室の空気を、前記第２流路を介して前記居室に供給するための第１ファンとを含み、前記室内機は、前記空調室内の空気を空調するために吸引し、かつ、吐出するための室内機ファンを有し、前記空調工程は、予め定められた設定温度に対して、前記室内機の吸引空気の温度がネガティブな場合、前記空調室内に空気が滞留するように前記第１ファン及び／又は前記室内機ファンの風量を制御する工程を含むことを特徴とする。
【発明の効果】
【００１２】
本発明の建物の空調システム及び建物の空調方法は、予め定められた設定温度に対して、室内機の吸引空気の温度がネガティブな場合、空調室内に空気が滞留するように第１ファン及び／又は室内機ファンの風量を制御することにより、居室を効率よく空調することができる。
【図面の簡単な説明】
【００１３】
【図１】建物の空調システムを利用した建物の一例を示す概念図である。
【図２】図１の空調室の拡大図である。
【図３】制御装置の構成の一例を示す概念図である。
【図４】建物の空調方法の処理手順の一例を示すフローチャートである。
【図５】空調工程の処理手順の一例を示すフローチャートである。
【図６】空調室内に空気が滞留した状態の一例を示す概念図である。
【発明を実施するための形態】
【００１４】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００１５】
図１は、建物の空調システム（以下、単に「空調システム」ということがある。）１を利用した建物２の一例を示す概念図である。建物２としては、住宅である場合が例示されているが、ビル等であってもよい。本実施形態の建物２は、床下空間３と、床上空間４とを含んで構成されている。
【００１６】
床下空間３は、基礎と地面と１階の床５とで囲まれた空間である。基礎には、外気Ａ１を取り入れるための開口部６が設けられている。開口部６から取り入れられた外気Ａ１は、１年を通じて温度変化の少ない地中の熱と、地面を介して熱交換される。これにより、床下空間３は、外気Ａ１に比べて、夏期は比較的涼しく、冬期は比較的暖かい空気（以下、単に「床下空気」ということがある。）Ａ２を蓄えることができる。
【００１７】
床上空間４は、床下空間３の上方に設けられた空間である。本実施形態の床上空間４は、居室７と、非居室８とを含んで構成されている。本実施形態の居室７は、１階の居室７ａ及び７ｂを含んでいる。なお、居室７には、２階以上に設けられた居室（図示省略）が含まれてもよい。一方、非居室８は、１階の居室７ａ、７ｂ間に設けられたホール８ａ、図示されない洗面室、及び、トイレ等を含んでいる。また、床上空間４には、例えば、床上空間４の空気の少なくとも一部を、屋外に強制的に排出する排気用ファン（図示省略）が設けられてもよい。本明細書において、「ファン」は、空気を圧送するための機械である。また、ファンの吐出圧は、空気を圧送可能な吐出圧を有するものであれば、特に限定されるものではない。
【００１８】
本実施形態の空調システム１は、後述の建物の空調方法（以下、単に「空調方法」ということがある。）の実施に用いられる。空調システム１は、空調室１１、第１流路１２、第２流路１３、第１ファン１４、及び、制御装置１５を含んで構成されている。さらに、本実施形態の空調システム１には、第３流路１６、及び、吸気温度検知手段１７がさらに含まれる。なお、第３流路１６は、建物２の換気に用いられるものである。このため、他の換気装置（図示省略）が建物２内に設けられている場合には、第３流路１６が省略されてもよい。また、空調システム１には、これらの構成に加えて、他の構成がさらに含まれていてもよい。
【００１９】
本実施形態の空調室１１は、床５の上に設置されているが、例えば、床５の下に設置されてもよいし、小屋裏１８に設置されてもよい。また、空調室１１は、１階の床５の上に設置されているが、例えば、２階以上の上階の床５の上に設置されても良い。本実施形態の空調室１１は、ホール８ａに設けられている。図２は、図１の空調室１１の拡大図である。
【００２０】
本実施形態の空調室１１は、その内部に空間（スペース）を有する箱状に形成されている。空間を区画する壁面１９には、断熱材（図示省略）が配されていてもよい。空調室１１の内部（空間）には、空気調和機２０の室内機２１が配されている。
【００２１】
空気調和機２０としては、一般的な家庭用のセパレート型エアコンである場合が例示される。空気調和機２０は、室内機２１と、建物２の外部に設置された室外機（図示省略）とをセットとして含んでいる。室内機２１は、吸込口２１ａと吐出口２１ｂとを有している。
【００２２】
さらに、室内機２１は、空調室１１内の空気を空調するために吸引し、かつ、吐出するための室内機ファン２１ｃを有している。室内機ファン２１ｃの駆動により、空調室１１内の空気が、吸込口２１ａから吸引される。次に、吸引された空気（以下、単に「吸引空気」ということがある。）Ａ３は、室内機２１の内部に設けられた熱交換器（図示省略）によって熱交換される。そして、熱交換された空気（以下、単に「空調空気」ということがある。）Ａ４が、吐出口２１ｂから吐出される。
【００２３】
本実施形態の空気調和機２０には、暖房運転及び冷房運転が可能なものが採用されているが、いずれか一方のみが可能なものでもよい。暖房運転では、吸引空気Ａ３よりも温度の高い空気（空調空気）Ａ４が、吐出口２１ｂから吐出される。一方、冷房運転では、吸引空気Ａ３よりも温度の低い空気（空調空気）Ａ４が、吐出口２１ｂから吐出される。
【００２４】
吐出された空調空気Ａ４は、空調室１１に設けられたフィルター（図示省略）によって浄化されてもよい。これにより、空調システム１は、浄化された空調空気Ａ４を、居室７（図１に示す）に供給することができる。
【００２５】
図１に示されるように、第１流路１２は、空調室１１に、少なくとも建物２内の空気Ａ５を供給するためのものである。本実施形態の第１流路１２は、建物２内の居室７、非居室８、それらを区切る扉２２等に設けられた隙間２３、及び、空調室１１の給気口２４（図２に示す）を含んで構成されている。図２に示されるように、本実施形態の給気口２４は、空調室１１において、室内機２１の吸込口２１ａ側に設けられている。このような第１流路１２により、図１に示されるように、少なくとも建物内の空気（本例では、居室７及び非居室８の空気）Ａ５が、居室７、非居室８、隙間２３及び給気口２４（図２に示す）を介して、空調室１１に供給されうる。
【００２６】
第２流路１３は、空調室１１の空気（空調運転中は、空調空気Ａ４を含む）Ａ６を、居室７に供給するためのものである。第２流路１３は、一端が空調室１１に連通し、かつ、他端が建物２内の居室７（本例では、１階の居室７ａ、７ｂ）に連通している。本実施形態の第２流路１３は、空調室１１と１階の居室７ａ、７ｂとの間を接続するダクト２５として構成されている。
【００２７】
図２に示されるように、本実施形態の第２流路１３の一端側は、空調室１１において、室内機２１の吐出口２１ｂ側に設けられた開口に接続されている。一方、第２流路１３の他端（図１に示す）には、各居室７（本例では、１階の居室７ａ、７ｂ）への風量をそれぞれ調節するためのダンパー（図示省略）が設けられるのが望ましい。このようなダンパーにより、１階の居室７ａ、７ｂごとに、空調空気Ａ４を含む空調室１１の空気Ａ６の供給量を調節することができる。したがって、本実施形態の空調システム１は、１階の居室７ａ、７ｂを個別に空調することが可能となる。
【００２８】
図１に示されるように、第１ファン１４は、空調室１１の空気（空調運転中は、空調空気Ａ４を含む）Ａ６を、第２流路１３を介して居室７に供給するためのものである。本実施形態の第１ファン１４は、空調室１１の内部に設けられているが、空調室１１の外部に設けられていてもよい。また、本実施形態では、１個の第１ファン１４で構成されている場合が例示されているが、複数個の第１ファン１４で構成されてもよい。本実施形態の第１ファン１４は、第２流路１３の一端に接続されている。このような第１ファン１４により、空調室１１の空気Ａ６は、第２流路１３を介して居室７に供給（圧送）されうる。
【００２９】
第３流路１６は、空調室１１に、床下空気Ａ２（外気Ａ１）を供給するためのものである。図１及び図２に示されるように、本実施形態の第３流路１６は、一端が空調室１１に連通し、かつ、他端が床下空間３に連通するダクト２６によって構成されている。図２に示されるように、第３流路１６（ダクト２６）の一端は、空調室１１において、室内機２１の吸込口２１ａ側に設けられている。一方、第３流路１６の他端側には、床下空気Ａ２（外気Ａ１）を、空調室１１側に送るための外気供給ファン２７が設けられている。このような第３流路１６及び外気供給ファン２７により、床下空気Ａ２（外気Ａ１）が、空調室１１に供給されうる。
【００３０】
吸気温度検知手段１７は、室内機２１の吸引空気Ａ３の温度を測定するためのものである。本実施形態の吸気温度検知手段１７は、空調室１１において、室内機２１の吸込口２１ａの近傍に取り付けられた温度センサーとして構成されている。なお、吸引空気Ａ３の温度を測定可能な温度センサー（図示省略）が、空気調和機２０に設けられている場合には、その温度センサーが、吸気温度検知手段１７として用いられてもよい。また、吸引空気Ａ３の温度として、建物２内の空気Ａ５の温度が測定される場合には、空調室１１が設置されたホール８ａに、吸気温度検知手段１７が取り付けられてもよい。
【００３１】
図１に示されるように、制御装置１５は、空気調和機２０及び第１ファン１４等を制御するためのものである。本実施形態の制御装置１５は、例えば、間仕切り壁等に設置されているが、このような態様に限定されない。図３は、制御装置１５の構成の一例を示す概念図である。
【００３２】
制御装置１５は、ＣＰＵ（中央演算装置）からなる演算部３１と、処理手順が記憶されている記憶部３２と、記憶部３２に記憶された処理手順等を読み込むための作業用メモリ３３とを含んで構成されている。
【００３３】
演算部３１には、入力手段３４が接続されている。入力手段３４は、例えば、制御装置１５の筐体（図１に示す）に設けられた操作ボタンやタッチパネル等によって構成されている。このような入力手段３４により、例えば、居住者等によって入力された情報が、演算部３１に伝達されうる。
【００３４】
入力される情報としては、例えば、空調運転（暖房運転又は冷房運転）の開始及び停止に関する指示情報や、図１に示した居室７（本例では、１階の居室７ａ、７ｂ）に予め定められた目標温度等が含まれる。目標温度とは、空調方法（空調システム１）で空調されることによって達成させ、かつ、維持されるべき居室７の温度である。また、本実施形態の目標温度は、１階の居室７ａ、７ｂごとに設定される。これらの情報は、図３に示した記憶部３２のデータ部３６に記憶される。
【００３５】
演算部３１には、出力手段３５が接続されている。出力手段３５は、制御装置１５の筐体（図１に示す）に設けられたディスプレイとして構成されている。演算部３１は、出力手段３５に信号を伝達することにより、例えば、空調システム１の運転状況等を、出力手段３５に表示させることができる。
【００３６】
演算部３１には、吸気温度検知手段１７が接続されている。これにより、演算部３１は、吸気温度検知手段１７に信号を伝達することにより、室内機２１の吸引空気Ａ３（図２に示す）の温度を吸気温度検知手段１７に検知させ、かつ、その検知結果を演算部３１に伝達させることができる。
【００３７】
演算部３１には、空気調和機２０が接続されている。これにより、演算部３１は、空気調和機２０に信号を伝達することにより、空調運転（暖房運転又は冷房運転）を開始及び停止させることができる。また、演算部３１は、空気調和機２０への信号の伝達により、室内機ファン２１ｃ（図２に示す）の風量を制御することができる。
【００３８】
演算部３１には、第１ファン１４及び外気供給ファン２７が接続されている。これにより、演算部３１は、第１ファン１４及び外気供給ファン２７に信号を伝達することにより、第１ファン１４及び外気供給ファン２７の運転を開始及び終了させることができる。また、演算部３１は、第１ファン１４及び外気供給ファン２７への信号の伝達により、第１ファン１４及び外気供給ファン２７の風量の制御をすることができる。
【００３９】
記憶部３２は、例えば、不揮発性の情報記憶装置である。記憶部３２には、データ部３６及びプログラム部３７が含まれる。データ部３６は、上述の居住者等によって入力された情報や、演算部３１による計算結果等を記憶するためのものである。プログラム部３７は、演算部３１によって実行されるプログラムである。
【００４０】
本実施形態のプログラム部３７は、判断部４１、空調運転開始・停止部４２、及び、風量調節部４３を含んでいる。なお、プログラム部３７には、他のプログラムが含まれていてもよい。
【００４１】
判断部４１は、空調運転の開始及び停止の指示の有無や、後述の空調システム１による空調制御（空調方法）の終了の指示の有無等を判断するためのものである。空調運転開始・停止部４２は、空気調和機２０による空調運転を開始及び停止させるためのものである。風量調節部４３は、空調運転の状況に応じて、第１ファン１４及び室内機ファン２１ｃ（図２に示す）の風量を調節するためのものである。
【００４２】
次に、本実施形態の空調方法の処理手順が説明される。図４は、建物２の空調方法の処理手順の一例を示すフローチャートである。
【００４３】
本実施形態の空調方法では、先ず、空気調和機２０（図１及び図２に示す）による空調運転開始の指示があるか否かが判断される（工程Ｓ１）。工程Ｓ１は、図３に示したプログラム部３７に含まれる判断部４１が、作業用メモリ３３に読み込まれ、かつ、演算部３１によって実行されることで処理される。空調運転開始の指示があるか否かの判断は、例えば、居住者等が入力手段３４に入力した空調運転（暖房運転又は冷房運転）の開始に関する指示情報に基づいて行われる。
【００４４】
工程Ｓ１において、空調運転開始の指示があると判断された場合（工程Ｓ１で、「Ｙ」）、次の空調工程Ｓ２が実施される。一方、工程Ｓ１において、空調運転開始の指示がない（例えば、空調運転停止の指示がある）と判断された場合（工程Ｓ１で、「Ｎ」）、空調システム１による空調方法の終了の指示があるか否かを判断する工程Ｓ３が実施される。
【００４５】
次に、本実施形態の空調工程Ｓ２では、図１及び図２に示した空気調和機２０を含む空調システム１を用いて、建物２内の居室７が空調される。図５は、空調工程Ｓ２の処理手順の一例を示すフローチャートである。
【００４６】
本実施形態の空調工程Ｓ２では、先ず、空気調和機２０（図１及び図２に示す）による空調運転が開始される（工程Ｓ２１）。工程Ｓ２１は、図３に示したプログラム部３７の空調運転開始・停止部４２が作業用メモリ３３に読み込まれ、かつ、演算部３１によって実行されることで処理される。
【００４７】
工程Ｓ２１では、演算部３１が、空調（暖房運転又は冷房運転）の開始に関する指示情報に基づいて、空気調和機２０に、冷房運転又は暖房運転を開始させるための信号を伝達する。これにより、工程Ｓ２１では、図１及び図２に示した空気調和機２０によって、指示された運転（暖房運転又は冷房運転）が開始される。この空気調和機２０の運転開始により、室内機ファン２１ｃ（図２に示す）の運転も開始される。空気調和機２０の設定温度は、例えば、居室７（図１に示す）に予め定められた目標温度に基づいて適宜設定される。室内機ファン２１ｃの風量は、空気調和機２０の運転状況に応じて適宜設定される。
【００４８】
さらに、工程Ｓ２１では、図３に示した演算部３１が、第１ファン１４及び外気供給ファン２７に、予め定められた風量で運転させるための情報がそれぞれ伝達される。これにより、工程Ｓ２１では、予め定められた風量に基づいて、第１ファン１４及び外気供給ファン２７を運転させることができる。なお、工程Ｓ２１において、第１ファン１４及び外気供給ファン２７が停止していた場合には、これらの運転が開始される。
【００４９】
第１ファン１４の風量及び外気供給ファン２７の風量は、適宜設定される。本実施形態の工程Ｓ２１において、第１ファン１４の風量は、室内機ファン２１ｃ（図２に示す）の風量以上に設定される。なお、本明細書において、「第１ファン１４の風量」は、複数個の第１ファン１４で構成されている場合、それらの第１ファン１４の総風量として特定される。これにより、空調システム１は、図２に示されるように、空調空気Ａ４を含む空調室１１の空気Ａ６が滞留することなく、居室７（図１に示す）に供給されるため、居室７が効果的に空調されうる。一方、外気供給ファン２７の風量は、例えば、建物２に必要な換気回数に基づいて設定されるのが望ましい。
【００５０】
図１及び図２に示されるように、工程Ｓ２１では、空気調和機２０（室内機ファン２１ｃ）の運転により、第１流路１２から空調室１１に供給された空気（建物２内の空気Ａ５）が室内機２１に吸引され、空調室１１に空調空気Ａ４が吐出されうる。さらに、工程Ｓ２１では、第１ファン１４の運転により、空調空気Ａ４を含む空調室１１の空気Ａ６が、第２流路１３を介して居室７に供給されうる。これにより、工程Ｓ２１では、建物２内の空気Ａ５を循環させながら、居室７の空調（暖房運転又は冷房運転）を開始することができるため、居室７での快適性を高めることができる。
【００５１】
さらに、本実施形態の工程Ｓ２１では、外気供給ファン２７の運転により、空調室１１に供給された床下空気Ａ２（外気Ａ１）と、建物２内の空気Ａ５との混合気が、室内機２１に吸引され、かつ、熱交換された空調空気Ａ４が空調室１１に吐出される。したがって、工程Ｓ２１では、空調空気Ａ４（外気Ａ１）を含む空調室１１の空気Ａ６が、第２流路１３を介して居室７に供給されることにより、建物２内の空気Ａ５を循環させながら、居室７を換気及び空調することができる。
【００５２】
図５に示されるように、次に、本実施形態の空調工程Ｓ２では、予め定められた設定温度に対して、吸引空気Ａ３の温度がネガティブか否かが判断される（工程Ｓ２２）。工程Ｓ２２は、図３に示したプログラム部３７に含まれる判断部４１が、作業用メモリ３３に読み込まれ、かつ、演算部３１によって実行されることで処理される。吸引空気Ａ３（図２に示す）の温度は、演算部３１が、吸気温度検知手段１７に信号を伝達することによって取得されうる。
【００５３】
本明細書において、ネガティブとは、予め定められた設定温度に対して、吸引空気Ａ３（図２に示す）の温度が、空調に不利な方向に乖離していることを意味している。例えば、空気調和機２０の暖房運転時において、吸引空気Ａ３の温度が設定温度よりも低い場合（吸引空気の温度＜設定温度）、設定温度に対して、吸引空気Ａ３の温度が、暖房に不利な方向に乖離している。一方、冷房運転時においては、吸引空気Ａ３の温度が設定温度よりも高い場合（即ち、吸引空気の温度＞設定温度）、設定温度に対して、吸引空気Ａ３の温度が、冷房に不利な方向に乖離している。これらの場合に、本実施形態の工程Ｓ２２では、吸引空気Ａ３の温度がネガティブであると判断している。
【００５４】
吸引空気Ａ３（図２に示す）の温度がネガティブな場合、吸引空気Ａ３が空気調和機２０で熱交換されて、居室７（図１に示す）の空調に有効な空気が吐出されるまでに時間を要し、空調の立ち上がり性が低下する傾向がある。なお、暖房運転時において、空調に有効な空気とは、設定温度よりも高い温度の空気である。一方、冷房運転時において、空調に有効な空気とは、設定温度よりも低い温度の空気である。
【００５５】
設定温度については、吸引空気Ａ３（図２に示す）の温度がネガティブか否かを判断することができれば、適宜定められうる。本実施形態では、居室７（図１に示す）に予め定められた目標温度が、設定温度として設定される。なお、本実施形態のように、１階の居室７ａ、７ｂ毎に目標温度が設定されている場合、暖房運転時には、それらの目標温度のうち、最も高い目標温度が、設定温度として定められるのが望ましい。一方、冷房運転時には、それらの目標温度のうち、最も低い目標温度が、設定温度として定められるのが望ましい。これにより、後述の工程Ｓ２３において、全ての居室７（１階の居室７ａ、７ｂ）の空調に有効な空気（空調空気Ａ４）を、空気調和機２０から吐出させることができる。なお、１階の居室７ａ、７ｂについて、それぞれ設定されている目標温度への空調は、第２流路１３の他端にそれぞれ設けられたダンパー（図示省略）を用いて、空調空気Ａ４を含む空調室１１の空気Ａ６の供給量が、個別に調節されることで行われる。
【００５６】
工程Ｓ２２において、吸引空気Ａ３（図２に示す）の温度がネガティブであると判断された場合（工程Ｓ２２で、「Ｙ」）、次の工程Ｓ２３が実施される。本実施形態の工程Ｓ２３では、図２に示した空調室１１内に空気（空調空気Ａ４を含む）が滞留するように、第１ファン１４及び／又は室内機ファン２１ｃの風量が制御される。
【００５７】
一方、工程Ｓ２２において、吸引空気Ａ３の温度がネガティブでないと判断された場合（工程Ｓ２２で、「Ｎ」）、次の工程Ｓ２４が実施される。このように、本実施形態の空調工程Ｓ２では、吸引空気Ａ３の温度がネガティブであると判断されるまで、空調空気Ａ４を含む空調室１１の空気Ａ６を滞留させることなく居室７に供給することができるため、居室７を効率よく空調することができる。
【００５８】
本実施形態の工程Ｓ２３では、上述のとおり、図２に示した空調室１１内に空気（空調空気Ａ４を含む）が滞留するように、第１ファン１４及び／又は室内機ファン２１ｃの風量が制御される。工程Ｓ２３は、図３に示したプログラム部３７に含まれる風量調節部４３が、作業用メモリ３３に読み込まれ、かつ、演算部３１によって実行されることで処理される。図６は、空調室１１内に空気が滞留した状態の一例を示す概念図である。
【００５９】
第１ファン１４及び／又は室内機ファン２１ｃの風量の制御手順については、空調室１１内に空気（空調空気Ａ４を含む）を滞留させることができれば、特に限定されない。また、第１ファン１４及び／又は室内機ファン２１ｃの風量は、演算部３１（図３に示す）が、第１ファン１４及び空気調和機（室内機ファン２１ｃ）に信号を伝達することによって制御されうる。
【００６０】
本実施形態では、第１ファン１４の風量が、室内機ファン２１ｃの風量よりも小さく設定される。なお、室内機ファン２１ｃの風量が、第１ファン１４の風量よりも大きく設定されてもよい。これにより、室内機２１から吐出される空気（空調空気）Ａ４よりも、第１ファン１４から第２流路１３を介して居室７（図１に示す）に供給される空気（空調空気Ａ４を含む）Ａ６が少なくなる。したがって、工程Ｓ２３では、空調室１１内に、空気（空調空気Ａ４を含む）Ａ７を滞留させることができる。
【００６１】
空調室１１内に滞留した空気Ａ７（空調空気Ａ４を含む）は、暖房運転時において、空調室１１に供給される建物２内の空気Ａ５や、床下空気Ａ２（外気Ａ１）と混ざり合って、これらの空気を暖めることができる。一方、冷房運転時においては、滞留した空気Ａ７（空調空気Ａ４を含む）が、空調室１１に供給される建物２内の空気Ａ５や、床下空気Ａ２（外気Ａ１）と混ざり合って、これらの空気を冷やすことができる。そして、空調室１１に供給される建物２内の空気Ａ５、床下空気Ａ２（外気Ａ１）、及び、滞留した空気Ａ７の混合気（吸引空気Ａ３）が、室内機２１に吸引される。これにより、工程Ｓ２３では、吸引空気Ａ３の温度を、設定温度に近づけることができるため、居室７等の空調に有効な空気（空調空気Ａ４）を、室内機２１から早期に吐出させることが可能となる。これにより、本実施形態の空調方法（空調システム１）は、空調の立ち上がり性を向上させることができる。
【００６２】
また、空気調和機２０が、室外機（図示省略）のコンプレッサーの熱を蓄えて、その蓄えられた熱を、霜取り運転と、霜取り運転中の暖房運転とに使用可能なものである場合、蓄えられた熱が小さいと、霜取りに必要な熱量を得ることができない場合がある。本実施形態では、空調室１１内に空気（空調空気Ａ４を含む）を滞留させることで、吸引空気Ａ３の温度を上昇させることができるため、蓄えられる熱が多くなり、霜取りに必要な熱量を得ることが可能となる。
【００６３】
第１ファン１４の風量と、室内機ファン２１ｃの風量との比については、空調室１１内に空気（空調空気Ａ４を含む）を滞留させることができれば、適宜設定することができる。第１ファン１４の風量は、例えば、室内機ファン２１ｃの風量の０．５〜０．９倍の範囲内で設定することができる。
【００６４】
また、吸引空気Ａ３の温度のネガティブな程度が大きいほど（即ち、吸引空気Ａ３の温度が、空調に不利な方向に乖離している度合が大きいほど）、第１ファン１４の風量が、室内機ファン２１ｃの風量に比べて小さく設定されてもよい。これにより、吸引空気Ａ３の温度のネガティブな程度が大きいほど、空調室１１内に滞留する空気Ａ７（空調空気Ａ４を含む）の量が大きくなるため、空調の立ち上がり性を効果的に向上させることができる。
【００６５】
なお、第１ファン１４の風量は、外気供給ファン２７の風量以上に設定されるのが望ましい。これにより、本実施形態の空調方法（空調システム１）は、建物２に必要な換気回数に基づいて、居室７（図１に示す）を換気及び空調することができる。
【００６６】
本実施形態の工程Ｓ２３において、吸引空気Ａ３の温度がネガティブでなくなれば、図２に示されるように、空調室１１内の空気Ａ６が滞留しないように、第１ファン１４の風量が、室内機ファン２１ｃの風量以上に設定されて、次の工程Ｓ２４が実施される。これにより、本実施形態の空調方法（空調システム１）は、居室７（図１に示す）の空調に有効な空気Ａ６の供給量を大きくできるため、居室７を効果的に空調することができる。
【００６７】
次に、本実施形態の工程Ｓ２４では、空調運転停止の指示の有無が判断される。工程Ｓ２４は、図３に示したプログラム部３７に含まれる判断部４１が、作業用メモリ３３に読み込まれ、かつ、演算部３１によって実行されることで処理される。空調運転停止の指示があるか否かの判断は、例えば、居住者等が入力手段３４に入力した空調運転（暖房運転又は冷房運転）の停止に関する指示情報に基づいて行われる。
【００６８】
工程Ｓ２４において、空調運転停止の指示があると判断された場合（工程Ｓ２４で、「Ｙ」）、空気調和機２０による空調運転を停止させる工程Ｓ２５が実施され、空調工程Ｓ２の一連の処理が終了する。
【００６９】
一方、工程Ｓ２４において、空気調和機２０による空調運転停止の指示がない（例えば、空調運転開始の指示がある）と判断された場合（工程Ｓ２４で、「Ｎ」）、工程Ｓ２２〜工程Ｓ２４が再度実施される。これにより、空調工程Ｓ２では、空調運転の停止の指示があるまで、建物２内の居室７（図１に示す）を継続して空調することができる。
【００７０】
本実施形態の工程Ｓ２５では、空気調和機２０（図１に示す）による空調運転が停止される。工程Ｓ２５では、図３に示したプログラム部３７の空調運転開始・停止部４２が、作業用メモリ３３に読み込まれ、かつ、演算部３１によって実行されることで処理される。工程Ｓ２５では、演算部３１が、空気調和機２０に、空調運転を停止させるための信号を伝達する。これにより、工程Ｓ２５では、図１及び図２に示した空気調和機２０による空調運転を停止させることができる。一方、第１ファン１４及び外気供給ファン２７の運転は継続される。これにより、本実施形態の空調方法（空調システム１）は、建物２内の空気Ａ５を循環させながら、居室７に床下空気Ａ２（外気Ａ１）を供給して換気することができる。
【００７１】
図４に示されるように、本実施形態の工程Ｓ３では、空調システム１による空調制御（空調方法）の終了の指示があるか否かが判断される。工程Ｓ３では、図３に示したプログラム部３７に含まれる判断部４１が、作業用メモリ３３に読み込まれ、かつ、演算部３１によって実行されることで処理される。空調方法の終了の指示があるか否かの判断は、例えば、居住者等によって入力手段３４に入力された指示情報や、割り込み処理等の異常終了の発生に基づいて行われる。
【００７２】
工程Ｓ３において、空調システム１による空調制御の終了の指示があると判断された場合（工程Ｓ３で、「Ｙ」）、空調方法の一連の処理が終了する。一方、工程Ｓ３において、空調制御の終了の指示がないと判断された場合（工程Ｓ３で、「Ｎ」）、工程Ｓ１〜工程Ｓ３が再度実施される。これにより、本実施形態の空調方法（空調システム１）は、終了の指示があるまで、建物２の空調を継続して行うことができる。
【００７３】
これまでの実施形態の工程Ｓ２２（図５に示す）では、吸引空気Ａ３の温度がネガティブか否かを判断するための設定温度として、居室７に予め定められた目標温度が設定されたが、このような態様に限定されない。設定温度には、居室に予め定められた目標温度を、図１及び図２に示した第２流路１３内での熱損失を考慮して修正した調整目標温度が設定されてもよい。例えば、暖房運転時において、第２流路１３内での熱損失によって温度が低下する場合、その低下する温度に、目標温度を加えた調整目標温度が、設定温度として設定される。一方、冷房運転時において、第２流路１３内での熱損失によって温度が上昇する場合、その上昇する温度を、目標温度から減じた調整目標温度が、設定温度として設定される。このような調整目標温度が設定温度として定められることにより、空調に有効な空気（空調空気Ａ４）を、空気調和機２０から確実に吐出させることができる。
【００７４】
これまでの実施形態の工程Ｓ２３（図５に示す）では、第１ファン１４の風量を小さく設定する態様、又は、室内機ファン２１ｃの風量を大きく設定する態様が例示されたが、これらの態様に限定されない。例えば、第１ファン１４及び室内機ファン２１ｃの風量がともに小さく設定されてもよい。これにより、この実施形態の工程Ｓ２３では、図６に示した空調室１１内に空気Ａ７（空調空気Ａ４を含む）を滞留させつつ、室内機ファン２１ｃの風量を小さくすることによって吸引空気Ａ３の量を少なくすることができ、効率よく熱交換することが可能となる。なお、第１ファン１４の風量と、室内機ファン２１ｃの風量との比については、上述の範囲内で設定されるのが望ましい。
【００７５】
以上、本発明の特に好ましい実施形態について詳述したが、本発明は図示の実施形態に限定されることなく、種々の態様に変形して実施しうる。
【実施例】
【００７６】
図１及び図２に示した空調システムが、建物に設置された（実施例１及び実施例２）。実施例１及び実施例２の制御装置は、図４及び図５の手順に基づいて、予め定められた設定温度に対して、室内機の吸引空気の温度がネガティブな場合、空調室内に空気が滞留するように第１ファン及び／又は室内機ファンの風量が制御された。
【００７７】
比較のために、実施例１及び実施例２の制御装置を除いた空調システムが、建物に設置された（比較例）。比較例では、設定温度に対して、室内機の吸引空気の温度がネガティブな場合でも、空調室内に空気を滞留させることなく、第１ファン及び／又は室内機ファンの風量が制御された。そして、吸引空気の温度がネガティブな場合において、実施例１、実施例２及び比較例の空調空気の吐出温度、及び、居室への供給熱量が測定された。共通仕様は、次のとおりであり、テストの結果を表１に示す。
空気調和機：
運転モード：暖房
室内機ファンの風量：１４００m3／h
設定温度（目標温度）：２０℃
【００７８】
【表１】
0006929341.tif 000002
【００７９】
テストの結果、実施例１及び実施例２は、比較例に比べて、空調空気の吐出温度、及び、居室への供給熱量を増加させることができ、居室を効率よく空調することができた。さらに、実施例２は、実施例１に比べて、第１ファンの風量を小さくして、空調室内に多くの空気を滞留させることができるため、空調空気の吐出温度、及び、居室への供給熱量を増加させることができた。
【符号の説明】
【００８０】
１      空調システム
２      建物
７      居室
１１      空調室
１２      第１流路
１３      第２流路
１４      第１ファン
１５      制御装置
２０      空気調和機
２１      室内機
２１ｃ    室内機ファン
【図１】
0006929341.tif 000003
【図２】
0006929341.tif 000004
【図３】
0006929341.tif 000005
【図４】
0006929341.tif 000006
【図５】
0006929341.tif 000007
【図６】
0006929341.tif 000008